(57)【要約】      （修正有）【課題】末梢血管などの細い血管に挿入することができ、十分な視野を得ることができる細径化血管内視鏡カテーテル及びフラッシュカテーテルを提供する。【解決手段】本体が光ファイバー束であり、先端に光学レンズ及び放射線不透過性の円形チップ２１を備える細径化血管内視鏡カテーテル２を提供し、その細径化血管内視鏡カテーテル２が内通するフラッシュカテーテル３を提供する。フラッシュカテーテル３から透明な液体を注入することで視野が広がる。血管内視鏡カテーテル２はフラッシュカテーテル３とは独立に長手方向に移動でき、広範な内視が可能である。【選択図】図１
0003188206.tif 000002
【実用新案登録請求の範囲】
【請求項１】
本体が光ファイバー束であり、
先端に断面円形のチップ及び光学レンズを備え、
前記チップは、金属製又は整形樹脂製であり、放射線不透過性であることを特徴とする細径化血管内視鏡カテーテル。
【請求項２】
前記光ファイバー束の外径が０．４ｍｍ以下であることを特徴とする、請求項１に記載の細径化血管内視鏡カテーテル。
【請求項３】
前記チップの側部にガイドワイヤ通過用ルーメンを備えることを特徴とする、請求項１又は２に記載の細径化血管内視鏡カテーテル。
【請求項４】
請求項１〜３のいずれか１項に記載の細径化血管内視鏡カテーテルが内通することを特徴とする、フラッシュカテーテル。
【請求項５】
内径が０．８ｍｍ〜１．２ｍｍであることを特徴とする、請求項４に記載のフラッシュカテーテル。
【請求項６】
前記細径化血管内視鏡カテーテルを先端から突出させる押出つまみを根元部分に備えることを特徴とする、請求項４又は５に記載のフラッシュカテーテル。
【請求項７】
先端から５０ｍｍ以内の箇所にガイドワイヤ出口を備えることを特徴とする、請求項４〜６のいずれか１項に記載のフラッシュカテーテル。
【請求項８】
血流一時遮断用バルーンを更に備えることを特徴とする、請求項４〜７のいずれか１項に記載のフラッシュカテーテル。
【考案の詳細な説明】
【技術分野】
【０００１】
本考案は、細径化された血管内視鏡カテーテル及び該血管内視鏡カテーテルを効率的に活用するためのフラッシュカテーテルに関する。
【背景技術】
【０００２】
血管内視鏡は、カテーテルとして血管に挿通される。しかし、細い血管内で血管内視鏡カテーテルを移動させて多くの箇所を見ることは容易でない。
この点、特許文献１には、血管内視鏡カテーテルを他のカテーテルとは独立に移動させることのできるカテーテルアセンブリが開示されている。
【０００３】
しかし、末梢血管などの細い血管において、十分な視野を得ることには、困難を伴っていた。
【先行技術文献】
【特許文献】
【０００４】
【特許文献１】米国特許５２６３９２８号公報
【考案の概要】
【考案が解決しようとする課題】
【０００５】
本考案は、末梢血管などの細い血管に挿入することができ、十分な視野を得ることができるカテーテルを提供することを課題とする。
【課題を解決するための手段】
【０００６】
血管損傷防止材を有する血管内視鏡カテーテルと、透明な液体を注入することのできるフラッシュカテーテルとによって、課題を解決する。
【０００７】
本考案の細径化血管内視鏡カテーテルは、
本体が光ファイバー束であり、
先端に断面円形のチップ及び光学レンズを備え、
前記チップは、金属製又は整形樹脂製であり、放射線不透過性であることを特徴とする。
【０００８】
血管内の画像が、光学レンズによって捕捉され、光ファイバー束を介して伝達される。伝達された画像は、ディスプレイ装置等に表示可能である。
断面円形のチップは、カテーテルが不用意に血管壁に挿入されてしまうことを防ぎ、血管損傷を防止する。合わせて、放射線不透過性であることにより、外部から放射線を照射して血管内視鏡カテーテルの正確な位置を知ることを可能にする。
【０００９】
本考案の細径化血管内視鏡カテーテルは、
前記光ファイバー束の外径が０．４ｍｍ以下であることを特徴とする。
【００１０】
血管内視鏡カテーテルの外径は、細いほうが好ましい。多くの内視鏡カテーテルはその外径が０．７ｍｍ以上であるが、現時点の技術によれば０．４ｍｍ以下とすることが可能である。
【００１１】
本考案の細径化血管内視鏡カテーテルは、
前記チップの側部にガイドワイヤ通過用ルーメンを備えることを特徴とする。
【００１２】
ガイドワイヤを用いて、確実な血管内への挿入ができる。
【００１３】
本考案のフラッシュカテーテルは、
上記の細径化血管内視鏡カテーテルが内通することを特徴とする。
【００１４】
フラッシュカテーテルから血管内に透明の液体を流入させ、視野を保つことができる。
【００１５】
本考案のフラッシュカテーテルは、
内径が０．８ｍｍ〜１．２ｍｍであることを特徴とする。
【００１６】
細径化血管内視鏡カテーテルを内通させた状態で、十分な量の液体を血管内に流入させることができ、かつ、細血管に挿入できる太さとなる。
【００１７】
本考案のフラッシュカテーテルは、
前記細径化血管内視鏡カテーテルを先端から突出させる押出つまみを根元部分に備えることを特徴とする。
【００１８】
細径化血管内視鏡カテーテルが、フラッシュカテーテルから分離して移動するので、広範な内視が可能である。
【００１９】
本考案のフラッシュカテーテルは、
先端から５０ｍｍ以内の箇所にガイドワイヤ出口を備えることを特徴とする。
【００２０】
ガイドワイヤを用いて、血管内への確実な挿入ができる。ガイドワイヤをフラッシュカテーテル外に出してフラッシュカテーテルにおける液体の流路を大きくする。
【００２１】
本考案のフラッシュカテーテルは、
血流一時遮断用バルーンを更に備えることを特徴とする。
【００２２】
血流一時遮断用バルーンによって、血液が排除され、細径化血管内視鏡カテーテルの視野を確保する。合わせて、細径化血管内視鏡カテーテルが血管径の中央付近に位置することを保証する。血管内の画像が、確実に得られる。
【考案の効果】
【００２３】
本考案の細径化血管内視鏡カテーテルは、血管を傷つけずに末梢血管などの細い血管に挿入することができる。
本考案のフラッシュカテーテルによれば、十分な視野を得ることができる。
本考案の細径化血管内視鏡カテーテルと本考案のフラッシュカテーテルとを合わせて用いるカテーテルシステムは、血管を傷つけずに末梢血管などの細い血管に挿入することができ、十分な視野を得ることができるものとなる。
【図面の簡単な説明】
【００２４】
【図１】図１は、カテーテルシステムを示す図である。
【図２】図２は、チップを示す拡大図である。
【図３】図３は、カテーテルシステムを示す断面図である。
【図４】図４は、カテーテルシステムの使用状態を示す図である。
【考案を実施するための形態】
【００２５】
（カテーテルシステム）
図１は、カテーテルシステムを示す図である。カテーテルシステム１は、細径化血管内視鏡カテーテル２及びフラッシュカテーテル３を備えている。また、ガイドワイヤ４及びバルーン５が設けられている。図はバルーン５を収縮させた状態のものである。
【００２６】
（細径化血管内視鏡カテーテル）
細径化血管内視鏡カテーテル２の本体は光ファイバー束であり、先端にはチップ２１が設けられている。チップ２１は放射線不透過性材料入りの整形樹脂製である。外部から放射線を照射して血管内視鏡カテーテルの正確な位置を知ることができる。なお、金属製であってもよい。
【００２７】
図２は、チップを示す拡大図である。チップ２１は、断面円形であり、カテーテルが不用意に血管壁に挿入されてしまうことを防ぎ、血管損傷を防止する。
【００２８】
（Ａ）に示すとおり、チップ２１には、ガイドワイヤ通過用ルーメン２３が設けられ、ガイドワイヤ４が備えられている。ガイドワイヤ４に沿って細径化血管内視鏡カテーテル２を目的部位に容易に挿入できる。ガイドワイヤ４の他端は、フラッシュカテーテル３に入り、ガイドワイヤ出口３２からフラッシュカテーテル３の外部に出ている。
【００２９】
なお、ガイドワイヤ４及びガイドワイヤ通過用ルーメン２３は必ずしもなくともよい。（Ｂ）にガイドワイヤ通過用ルーメン２３のないチップ２１を示す。チップ２１の内部は光ファイバーのある断面を示す。光ファイバー先端の角度を設計して斜視を可能とする。チップ２１が回転可能であるので、あらゆる方向の斜視が可能である。
【００３０】
チップ２１には、光ファイバー束通過用ルーメン２４が設けられ、光ファイバー束（細径化血管内視鏡カテーテルの本体）２が挿入されている。光ファイバー束２の先端には光学レンズ２５が備えられている。光学レンズ２５の画像は、光ファイバー束２を通り、コネクタ２３を経てディスプレイ（非図示）に表示される。
【００３１】
チップ２１は、滑らかな辺縁で非損傷性形状のものである。（Ａ）では形状を簡略化して示したが、辺縁に角のない非損傷性形状である。
【００３２】
（フラッシュカテーテル）
図３は、カテーテルシステムを示す断面図である。（Ａ）は、図１におけるＡ線の断面図である。フラッシュカテーテル３を細径化血管内視鏡カテーテル２が内通する。
【００３３】
細径化血管内視鏡カテーテル２の外径ｒは０．４ｍｍ、フラッシュカテーテル３の内径Ｒは１．０ｍｍである。細径化血管内視鏡カテーテル２が内通していても液体を注入することができ、かつ、末梢血管に挿入できる太さである。なお、内径Ｒは、０．８ｍｍ〜１．２ｍｍの範囲で適宜に設計してよい。
【００３４】
フラッシュカテーテル３には、ガイドワイヤ出口３２（図１参照）が設けられている。ガイドワイヤ４がフラッシュカテーテル３の外に出ており、（Ａ）の通りの断面図となる。ガイドワイヤ４が内通しておらず（Ａ）の断面であることが液体流入のために好ましいので、ガイドワイヤ出口３２をフラッシュカテーテル３の先端から５０ｍｍ以内に設けることが好ましい。
【００３５】
また、フラッシュカテーテル３には、バルーン５に気体又は液体の給排を行うためのバルーン用ルーメン５２が設けられている。
【００３６】
（Ｂ）は、図１におけるＢ線の断面図である。フラッシュカテーテル３の先端部分のガイドワイヤのある箇所のものである。
【００３７】
細径化血管内視鏡カテーテル２の外径は０．４ｍｍ、ガイドワイヤ４の外径は０．３５ｍｍである。内径が１．０ｍｍのフラッシュカテーテル３に血管内視鏡カテーテル２及びガイドワイヤ４を内通させることができる。
【００３８】
（バルーン）
バルーン５は、血流遮断の効果を得るため、ポリウレタン製等のセミコンプリント性のものであることが好ましい。
【００３９】
（カテーテルシステムの操作用部品）
図１を再び参照して説明する。細径化血管内視鏡カテーテル２は、押出つまみ（ファイバー可動操作部）２２によって、フラッシュカテーテル３の先端から突出させることができる。滑らかな辺縁で非損傷性形状のチップ２１（光学レンズ２５）がフラッシュカテーテル３から分離して移動するので、広範な内視が可能である。長い血管病変を観察することができる。むろん、押出つまみ２２によってフラッシュカテーテル３の先端近くに回収することも、突出長さを調整することもできる。
【００４０】
液体注入口３１から、透明な液体（生理食塩水、乳酸レンゲル液、造影剤等）をフラッシュカテーテル３に注入することができる。注入された透明な液体は、フレッシュカテーテル３の先端から血管内に流出し、光学レンズ２５の視野を確保（血管壁を確実に造影）する。
【００４１】
バルーン操作部５１によって、バルーン用ルーメン５２を介してバルーン５に気体又は液体の給排を行うことができる。
【００４２】
（カテーテルシステムの使用例）
図４は、カテーテルシステムの使用状態を示す図である。細径化血管内視鏡カテーテル２を使用するため、バルーン５を拡大する。細径化血管内視鏡カテーテル２が血管中央に固定され、血流が止められて、視界が良好になる。
【００４３】
液体注入口３１から、透明な液体（生理食塩水、乳酸レンゲル液、造影剤等）をフラッシュカテーテル３に注入し、１．０ｍｌ〜４．０ｍｌ／ｓの流速で血管内に注入する。血管内には透明な液体７が充満し、光学レンズ２５が血管壁の画像を捕捉する。
【００４４】
細径化血管内視鏡カテーテル２（光学レンズ２５）は、押出つまみ２２によって移動させることができ、図（Ａ）のようにフラッシュカテーテル３の近くの画像を捕捉することも、図（Ｂ）のようにフラッシュカテーテル３から離れた画像を捕捉することもできる。移動距離は、２００ｍｍ以上になるような設計も可能である。長い血管病変を内視することができる。
【産業上の利用可能性】
【００４５】
血管を傷つけずに末梢血管などの細い血管に挿入することができ、十分な視野を得ることができるカテーテルシステムであり、多くの医療機関における活用が考えられる。
【符号の説明】
【００４６】
１  カテーテルシステム
２  細径化血管内視鏡カテーテル
３  フラッシュカテーテル
４  ガイドワイヤ
５  バルーン
６  血管壁
７  透明な液体
【図１】
0003188206.tif 000003
【図２】
0003188206.tif 000004
【図３】
0003188206.tif 000005
【図４】
0003188206.tif 000006